(57)【要約】【課題】スライムが発生しても水受け皿がオーバーフローしてしまうことのない空調装置を提供する。【解決手段】熱交換器１１と、この熱交換器１１により凝縮されたドレン水を受ける水受け皿２０と、この水受け皿２０に溜まった水の第１水位を検知する第１フロートスイッチ１４と、この第１フロートスイッチ１４が第１水位を検知したとき水受け皿２０のドレン水を排水する排水ポンプ１５とを備え、第１水位より少し高い第２水位を検知する第２フロートスイッチ２７を設け、この第２フロートスイッチ２７が第２水位を検知したとき排水ポンプ１５を駆動させる。【選択図】図１
2008025878.tif 000002
【特許請求の範囲】
【請求項１】
熱交換器と、この熱交換器により凝縮されたドレン水を受ける水受け皿と、この水受け皿に溜まった水の第１水位を検知する第１フロートスイッチと、この第１フロートスイッチが第１水位を検知したとき前記水受け皿のドレン水を排水する排水ポンプとを備えた空気調和機において、
前記第１水位より少し高い第２水位を検知する第２フロートスイッチを設け、
この第２フロートスイッチが第２水位を検知したとき前記排水ポンプを駆動させることを特徴とする空気調和機。
【請求項２】
前記水受け皿に補助受け皿を連設し、
この補助受け皿の底部の高さ位置を前記第１水位とほぼ同一に設定し、
前記第２フロートスイッチで補助受け皿に溜まるドレン水の第２水位を検知することを特徴とする請求項１に記載の空気調和機。
【請求項３】
前記水受け皿と補助受け皿との間に所定の高さの堰を設け、この堰をバクテリアの繁殖を抑制する薬剤が含まれる材質で形成したことを特徴とする請求項２に記載の空気調和機。
【発明の詳細な説明】
【技術分野】
【０００１】
この発明は、熱交換器により凝縮されたドレン水を受ける水受け皿と、この水受け皿に溜まった水位を検知する第１フロートスイッチとを備えた空気調和機に関する。
【背景技術】
【０００２】
従来、天井埋め込み式の空気調和機では、冷却時や除湿時に発生するドレン水を室外へ排水するために、天井内に配設する排水管の勾配を確保する必要があるが、天井懐高さが足りないことにより、空気調和機の下部に接続する排水管の勾配を十分に確保することができない。このため、排水ポンプを用いてドレン水を強制的に排水するようにしている。
【０００３】
このような空気調和機は、水受け皿でドレン水を溜め、このドレン水が所定水位になったことをフロートスイッチで検知し、この検知により排水ポンプを駆動して排水するものである。
【０００４】
しかし、このような空調装置にあっては、ドレン水が水受け皿に溜まると、ドレン水にスライム（バクテリアの塊）が発生し易くなり、このスライムにより浮きの動きが止まったり、配水管が詰まったりする不具合があるので、水受け皿に防菌防黴性樹脂のプレートを設けている（特許文献１参照）。
【特許文献１】特開２００６−５７８６０号公報
【発明の開示】
【発明が解決しようとする課題】
【０００５】
しかしながら、防菌防黴性樹脂のプレートでスライムの発生を十分に抑えることができないと、スライムの発生によりフロートスイッチの浮きが止まった場合、水受け皿に溜まったドレン水が排水ポンプで排水されず、水受け皿がオーバーフローしてしまうという問題がある。
【０００６】
この発明の目的は、水受け皿がオーバーフローしてしまうことのない空気調和機を提供することにある。
【課題を解決するための手段】
【０００７】
請求項１の発明は、熱交換器と、この熱交換器により凝縮されたドレン水を受ける水受け皿と、この水受け皿に溜まった水の第１水位を検知する第１フロートスイッチと、この第１フロートスイッチが第１水位を検知したとき前記水受け皿のドレン水を排水する排水ポンプとを備えた空気調和機において、
前記第１水位より少し高い第２水位を検知する第２フロートスイッチを設け、
この第２フロートスイッチが第２水位を検知したとき前記排水ポンプを駆動させることを特徴とする。
【０００８】
請求項２の発明は、前記水受け皿に補助受け皿を連設し、
この補助受け皿の底部の高さ位置を前記第１水位とほぼ同一に設定し、
前記第２フロートスイッチで補助受け皿に溜まるドレン水の第２水位を検知することを特徴とする。
【０００９】
請求項３の発明は、前記水受け皿と補助受け皿との間に所定の高さの堰を設け、この堰をバクテリアの繁殖を抑制する薬剤が含まれる材質で形成したことを特徴とする。
【発明の効果】
【００１０】
この発明によれば、スライムの発生により第１フロートスイッチが機能しなくても水受け皿のオーバーフローを防止することができる。
【発明を実施するための最良の形態】
【００１１】
以下、この発明に係る空気調和機の実施の形態である実施例を図面に基づいて説明する。
【実施例】
【００１２】
［第１実施例］
図１はこの発明にかかる空気調和機１０を示したものであり、この空気調和機１０は、天井１の開口２に挿入して取り付ける天井埋め込み式の空調装置である。
【００１３】
この空調調和機１０は、熱交換器１１と、図示しない吸気開口から室内の空気を吸い込んでこの吸い込んだ空気を熱交換器１１に向けて送り出す送風ファン１２と、熱交換器１１を通ってきた空気を吹出口１３へ案内する複数の整流板１６１と、熱交換器１１により凝縮されたドレン水を受ける水受け皿２０と、この水受け皿２０に溜まった水位を検知する第１フロートスイッチ１４と、この第１フロートスイッチ１４が所定水位（第１水位）Ｈ（図２参照）を検知したとき水受け皿２０のドレン水を排水する排水ポンプ１５等とを備えている。
【００１４】
第１フロートスイッチ１４のフロート１４Ｈは水受け皿２０内に配設されている。１７は吹出口１３に設けた吹出グリルである。
【００１５】
水受け皿２０は、図２に示すように底部２１の左側に形成した凹部２１ａを有している。水受け皿２０の右側壁２２には補助受け皿２３が連設されている。
【００１６】
補助受け皿２３の底部２３Ａの高さ位置は水受け皿２０の所定水位Ｈとほぼ同一に設定されている。
【００１７】
補助受け皿２３の右側に一段高くなっている段部２５が形成され、この段部２５の右側に側壁２６が形成されている。
【００１８】
排水ポンプ１５の吸込口１５Ａは、図１に示すように水受け皿２０の凹部２１ａと対向する位置に配置され、排水ポンプ１５は水受け皿２０に溜まっているドレン水の全てを排水することが可能となっている。
【００１９】
第１フロートスイッチ１４は、水受け皿２０のドレン水の水位が所定水位Ｈ以上になったときオンするようになっている。そして、排水ポンプ１５は第１フロートスイッチ１４がオンしたとき駆動して水受け皿２０のドレン水を排水する。排水ポンプ１５で排水されるドレイン水は排水パイプ１６を通って外部へ排出される。
【００２０】
排水パイプ１６は、湾曲部１６ａ，１６ｂでも蛇腹管でない滑らかな管としてストレート化されると、湾曲部１６ａ，１６ｂでのスライムの詰まりを防止することができる。
【００２１】
補助受け皿２３の段部２５には第２フロートスイッチ２７が設けられており、この第２フロートスイッチ２７のフロート２７Ｈは補助受け皿２３の底部２３Ａ上に配設されている。
【００２２】
第２フロートスイッチ２７は、補助受け皿２３に溜まるドレン水の水位がＨａ以上になるとオンするようになっている。水位Ｈａは水位Ｈより僅かに高い位置に設定されている。
【００２３】
そして、第２フロートスイッチ２７がオンすると第１フロートスイッチ１４のオン・オフに拘わりなく排水ポンプ１５が駆動するようになっている。
［動  作］
次に、上記のように構成される空気調和機１０の動作について説明する。
【００２４】
空気調和機１０が冷房または除湿運転されると、熱交換器１１により凝縮されたドレン水が水受け皿２０に溜まっていく。そして、水受け皿２０に溜まったドレン水が水位Ｈに達すると、第１フロートスイッチ１４がオンして排水ポンプ１５が駆動され、水受け皿２０のドレン水が排水パイプ１６を介して排水されていく。
【００２５】
排水ポンプ１５は、空気調和機１０の運転中では、第１フロートスイッチ１４がオンすると１０分間毎に９０秒間駆動されていく。
【００２６】
すなわち、水位が所定水位Ｈになって排水ポンプ１５が運転された後、水位が所定水位Ｈを下回ってもしばらくの間排水ポンプ１５が駆動される。このため、水受け皿２０の水位を低い状態に確実に保つことができる。
【００２７】
また、空気調和機１０が運転されていれば、水位が所定水位Ｈに達しなくても定期的に排水ポンプ１５が駆動されるので、水受け皿２０の水位を低い状態に保つことができる。このため、水受け皿２０へのドレン水の供給が無くなれば速やかに水受け皿２０が乾燥し、スライムの発生が防止され、排水ポンプ１５の吸込口などがスライムにより詰まることが未然に防止される。また、第１フロートスイッチ１４のフロート１４Ｈにドレン水が至ることが少なくなり、フロート１４Ｈがスライムで固着することが未然に防止される。
【００２８】
また、水受け皿２０にドレン水が溜まってスライムが発生し、第１フロートスイッチ１４が機能しなくなった場合、空調装置１０の冷房または除湿運転により、水受け皿２０のドレン水の水位が上昇して水位Ｈに達したとき、第１フロートスイッチ１４がオンしない。このため、排水ポンプ１５は駆動されず、水受け皿２０に溜まったドレン水の水位は水位Ｈを越えることになる。
【００２９】
そして、そのドレン水が補助受け皿２３に流れていき、補助受け皿２３にドレン水が溜まることになる。補助受け皿２３に溜まるドレン水が水位Ｈａになると、第２フロートスイッチ２７がオンする。
【００３０】
この第２フロートスイッチ２７は、通常ではドレン水が補助受け皿２３に流れてこないので、第２フロートスイッチ２７がスライムにより機能しなくなることがなく、このため補助受け皿２３にドレン水が流れてくれば確実に水位Ｈａを検知して第２フロートスイッチ２７はオンすることになる。
【００３１】
第２フロートスイッチ２７のオンにより排水ポンプ１５が駆動され、水受け皿２０および補助受け皿２３のドレン水が排水パイプ１６を介して排水されていく。これにより、第１フロートスイッチ１４が機能しなくても水受け皿２０のオーバーフローは確実に防止される。
【００３２】
第２フロートスイッチ２７がオンした場合も、上記と同様に排水ポンプ１５は１０分間毎に９０秒間駆動されていく。このため、スライムが発生したドレン水を排出した後には水受け皿２０にドレン水はほとんど溜まらず、スライムの発生が抑制されることになる。
［第２実施例］
図３は第２実施例の水受け皿２０および補助受け皿２３を示したものである。この第２実施例では、水受け皿２０と補助受け皿２３との間、すなわち水受け皿２０の右側壁２２の上部に所定の高さの堰２４を設けたものである。
【００３３】
この堰２４の高さは水受け皿２０がオーバーフローする高さ位置より低くなっている。堰２４はバクテリアの繁殖を抑制する薬剤が含まれる樹脂等で形成されている。
【００３４】
この第２実施例では、水受け皿２０のドレン水の水位が水位Ｈを越えて堰２４を越えると、そのドレン水が補助受け皿２３に溜まり、この補助受け皿２３に溜まるドレン水が水位Ｈａになると、第２フロートスイッチ２７がオンする。そして、第１実施例と同様に、排水ポンプ１５は１０分間毎に９０秒間駆動されて、水受け皿２０のドレン水が排水されていく。
【００３５】
堰２４はバクテリアの繁殖を抑制する樹脂で形成されていることにより、補助受け皿２３に溜まるドレン水にスライムは発生しない。なお、補助受け皿２３に溜まるドレン水は排水ポンプ１５で排水されるようになっている。
【図面の簡単な説明】
【００３６】
【図１】この発明に係る空調装置の構成を概略的に示した断面図である。
【図２】図１に示す空調装置の水受け皿および補助受け皿を示した断面図である。
【図３】第２実施例の水受け皿を示した説明図である。
【符号の説明】
【００３７】
１１    熱交換器
１４    第１フロートスイッチ
１５    排水ポンプ
２０    水受け皿
２３    補助受け皿
２７    第２フロートスイッチ
【図１】
2008025878.tif 000003
【図２】
2008025878.tif 000004
【図３】
2008025878.tif 000005